(57)【要約】【課題】セレン含有水に含まれる４価セレンおよび６価セレンのうち少なくとも１つを効率的に吸着処理することが可能なセレン含有水の処理方法を提供する。【解決手段】４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させるセレン含有水の処理方法である。【選択図】なし【特許請求の範囲】
【請求項１】
４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させることを特徴とするセレン含有水の処理方法。
【請求項２】
請求項１に記載のセレン含有水の処理方法であって、
前記セレン含有水と前記吸着剤との接触をｐＨ３〜５．５の範囲において行うことを特徴とするセレン含有水の処理方法。
【請求項３】
４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させるセレン吸着手段を備えることを特徴とするセレン含有水の処理装置。
【請求項４】
請求項３に記載のセレン含有水の処理装置であって、
前記セレン含有水と前記吸着剤との接触がｐＨ３〜５．５の範囲において行われることを特徴とするセレン含有水の処理装置。
【発明の詳細な説明】
【技術分野】
【０００１】
本発明は、４価セレンおよび６価セレンのうち少なくとも１つを含むセレン含有水の処理方法および処理装置に関する。
【背景技術】
【０００２】
例えば金属精錬工場やガラス製造工場等からの排水中には、セレン（Ｓｅ）化合物が含まれることがある。これらセレンの水中での存在形態は、亜セレン酸（ＳｅＯ３２−）またはセレン酸（ＳｅＯ４２−）であり、これらはそれぞれ４価セレンと６価セレンからなる。
【０００３】
このようなセレンを含む排水には排水基準が設けられており、全セレンとして０．１ｍｇ−Ｓｅ／Ｌ以下にまで処理し、放流することが法律により定められている。
【０００４】
このセレンの除去方法として、鉄系凝集剤による還元、凝集沈殿や生物還元処理方法等が知られているが、これらの方法のみでは特にセレン酸（６価セレン）の処理が難しく、上記排水基準以下にまで処理することが困難であった。
【０００５】
このような状況を鑑み、処理水の仕上げ工程として吸着剤による処理方法が複数提案され、例えば特許文献１〜３の方法が提案されている。特許文献１〜３の方法は吸着剤として鉄やジルコニウムを主成分としているものを用いているが、吸着剤の６価セレンの除去能力に関しては言及されていない。
【０００６】
特許文献４では、４価セレンを６価セレンに酸化し、６価セレンを吸着可能な樹脂を用いて除去する方法が挙げられているが、吸着工程の前段に酸化工程が必要になる上、再生廃液は結局６価セレンが高濃度に含まれた廃液であり、この処理に多大な労力を要する。
【０００７】
特許文献５の方法は、４価セレンおよび６価セレンの両方とも吸着、除去可能としているが、反応ｐＨとして２〜４が好適な範囲、２．５〜３．５がより好適な範囲とされており、またこの範囲内においてもｐＨが高いほどセレン酸の吸着量は低下する。
【０００８】
さらに特許文献６でも、４価セレンおよび６価セレンの処理方法が提案されているが、吸着剤として希土類元素を含むものを示しており、吸着剤が高価となる。
【０００９】
特許文献７では、バリウム塩を添加し、４価セレンおよび６価セレンとの不溶性化合物を形成させ、これらを液中より除去し、その処理液をチタン酸よりなる吸着剤と接触させることで４価セレンおよび６価セレンを除去する方法が提案されている。この方法では、バリウム塩が非常に多量に必要になること、また吸着剤が高価なチタンよりなることからシステム全体として非常に高価なものとなる。
【００１０】
このように、多くの処理方法で対象とされているのは４価セレンであり、従来の吸着剤では６価セレンの吸着が困難であるか、またまれにある６価セレンの吸着処理方法では６価セレンを吸着できてもｐＨによる影響を顕著に受け、その効果を十分に得るには反応ｐＨを極めて低くまで調整することが必要になり、ｐＨ調整薬品の使用量が非常に多くなる、または希土類元素等の高価な材料を吸着剤に用いる必要がある等の問題があった。
【先行技術文献】
【特許文献】
【００１１】
【特許文献１】特開平８−１９６８０４号公報
【特許文献２】特開２０００−３３４４４３号公報
【特許文献３】特開２００７−１９６１７０号公報
【特許文献４】特開２００８−１８８５３６号公報
【特許文献５】特開２００８−０６２１８４号公報
【特許文献６】特開２００７−３２６０７７号公報
【特許文献７】特開２００８−０４９３１６号公報
【発明の概要】
【発明が解決しようとする課題】
【００１２】
本発明の目的は、セレン含有水に含まれる４価セレンおよび６価セレンのうち少なくとも１つを効率的に吸着処理することが可能なセレン含有水の処理方法およびセレン含有水の処理装置を提供することを目的とする。
【課題を解決するための手段】
【００１３】
本発明は、４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させるセレン含有水の処理方法である。
【００１４】
また、前記セレン含有水の処理方法において、前記セレン含有水と前記吸着剤との接触をｐＨ３〜５．５の範囲において行うことが好ましい。
【００１５】
また、本発明は、４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させるセレン吸着手段を備えるセレン含有水の処理装置である。
【００１６】
また、前記セレン含有水の処理装置において、前記セレン含有水と前記吸着剤との接触がｐＨ３〜５．５の範囲において行われることが好ましい。
【発明の効果】
【００１７】
本発明では、４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させることにより、セレン含有水に含まれる４価セレンおよび６価セレンのうち少なくとも１つを効率的に吸着処理することが可能となる。
【図面の簡単な説明】
【００１８】
【図１】本発明の実施形態に係るセレン含有水の処理装置の一例を示す概略構成図である。
【図２】本発明の実施形態に係るセレン含有水の処理装置の他の例を示す概略構成図である。
【発明を実施するための形態】
【００１９】
本発明の実施の形態について以下説明する。本実施形態は本発明を実施する一例であって、本発明は本実施形態に限定されるものではない。
【００２０】
本実施形態に係るセレン含有水の処理方法は、４価セレンおよび６価セレンのうち少なくとも１つを含むセレン含有水を、一般式Ｚｒ・Ｆｅ２（ＯＨ）８で表されるジルコニウムフェライトを主成分とする吸着剤にｐＨ６以下で接触させて、４価セレンおよび６価セレンのうち少なくとも１つを吸着し、セレン含有水中より４価セレンおよび６価セレンのうち少なくとも１つを除去する方法である。
【００２１】
本実施形態に係るセレン含有水の処理方法で用いる吸着剤では、４価セレンはもちろん、６価セレンの吸着も可能であり、また従来の吸着剤と異なりｐＨによる影響を受けにくく、ｐＨ６以下で吸着が可能であり、特にｐＨ５．５以下であればその吸着能力はｐＨによらず同程度であり、かつ十分に高い。ゆえに反応ｐＨを比較的高くしても十分に４価セレンおよび６価セレンの吸着、除去効果を得ることができる。
【００２２】
本実施形態に係るセレン含有水の処理方法によれば、６価セレンに対する特別な前処理を行わなくても、６価セレンを含むセレン含有水から、６価セレンを除去し、全セレンとして排水基準である０．１ｍｇ−Ｓｅ／Ｌ以下にまで低減することができる。また、４価セレンおよび６価セレンを含むセレン含有水から、これら両方を除去し、全セレンとして排水基準である０．１ｍｇ−Ｓｅ／Ｌ以下にまで低減することができる。
【００２３】
また、本実施形態に係るセレン含有水の処理方法によれば、特にｐＨ３〜５．５の範囲で処理すれば、被処理水である原水のｐＨ調整にかかる薬品使用量の削減ができ、ランニングコストを低減することができる。
【００２４】
このように、本実施形態に係るセレン含有水の処理方法によれば、特別な材料を用いることなく４価セレンおよび６価セレンのうち少なくとも１つを高い効果で効率的に吸着処理することができる。また、セレン含有水が４価セレンおよび６価セレンの両方を含む場合であっても、４価セレンおよび６価セレンの両方を高い効果で効率的に吸着処理することができる。
【００２５】
処理対象となるセレン含有水とは、４価セレンおよび６価セレンのうち少なくとも１つを含む水であればよく、特に制限はない。例えば、自然環境中から放出される水であってもよいし、金属精錬工場、ガラス製造工場、火力発電所等から排出される排水等、人為的に放出されるものでもよい。処理対象となるセレン含有水中の４価セレンの濃度は、例えば、０．１〜２０ｍｇ−Ｓｅ／Ｌの範囲であり、６価セレンの濃度は、例えば、０．１〜１０ｍｇ−Ｓｅ／Ｌの範囲であるが、当然これらの範囲に限定されるものではない。
【００２６】
吸着剤は、一般式Ｚｒ・Ｆｅ２（ＯＨ）８で表されるジルコニウムフェライトを主成分とするものである。ジルコニウムフェライト以外にジルコニウム水和酸化物や鉄酸化物等が、これらの物質量合計がジルコニウムフェライト物質量を上回らない範囲で少量（例えば、吸着剤全体に対して２０重量％以下程度）含まれていてもよい。
【００２７】
吸着剤は、粉末状であってもよいし、何らかの方法で造粒されたものであってもよい。粉末状であっても造粒されたものであっても、セレン化合物の吸着能力にほとんど差異はなく、どのような形態であっても４価セレンおよび６価セレンの吸着効果は得られるが、造粒されたものであった方が、取り扱いが容易であるため好ましい。
【００２８】
本実施形態に係るセレン含有水の処理方法におけるセレン含有水と吸着剤との接触の方法としては、特に限定はない。例えば図１に示すように、セレン吸着手段としての反応槽１０を設けたセレン含有水処理装置１において、反応槽１０の中にセレン含有水および吸着剤を添加、導入し、撹拌装置１２の撹拌手段等を用いて撹拌した後、処理水と吸着剤を分離する方法でもよいし、例えば図２に示すように、セレン吸着手段としての吸着剤を充填した充填塔１４を設けたセレン含有水処理装置３において、充填塔１４にセレン含有水を通水して処理水を得る方法でもよい。吸着剤を充填した充填塔に通水する場合には、上向流でも下向流でもよい。
【００２９】
本発明者らが鋭意検討した結果、ジルコニウムフェライトを主成分とする吸着剤を用いて４価セレンおよび６価セレンのうち少なくとも１つを吸着、除去する場合には、被処理水であるセレン含有水との接触時のｐＨを６以下、好ましくは５．５以下とすることで、４価セレンおよび６価セレンに対する非常に高い吸着能力を得られることを見出した。なお、ジルコニウムフェライトを主成分とする吸着剤を用いることで４価セレンおよび６価セレンの吸着が可能であることと併せて、さらに特筆すべきは、ｐＨ５．５以下においては４価セレンおよび６価セレンの吸着能力に大きな変化がないことである。すなわち極端に低いｐＨにまで調整しなくても、十分に高い吸着能力で４価セレンおよび６価セレンを吸着、除去することができることから、例えばｐＨ３〜５．５の範囲で処理すれば、ｐＨ調整に必要な薬品の使用量を少なくすることができ、この点において従来の方法よりも優位である。
【００３０】
セレン含有水と吸着剤との接触の際のｐＨが３より低くても、４価セレンおよび６価セレンの吸着能力はほとんど変わらず高いが、ｐＨ調整薬品の使用量増大を招くため、低くてもｐＨ３程度で反応させるのがよい。また、セレン含有水と吸着剤との接触の際のｐＨがｐＨ５．５より高いと、吸着量が低下する場合がある。セレン含有水と吸着剤との接触の際のｐＨは、より好ましくは４．０〜５．５の範囲である。
【００３１】
セレン含有水と吸着剤との接触の際の温度は、例えば、５〜４０℃の範囲である。
【００３２】
一般式Ｚｒ・Ｆｅ２（ＯＨ）８で表されるジルコニウムフェライトを主成分とする吸着剤は、アルカリ性溶液と接触させることで、吸着したセレン化合物あるいはその他のイオン等を脱離させることができる。すなわち、セレン含有水との接触後の吸着剤をアルカリ溶液と接触させることにより再生することができる。
【００３３】
アルカリ性溶液としては、例えば０．１〜１ｍｏｌ／Ｌ程度の水酸化ナトリウム水溶液、水酸化カリウム水溶液等が挙げられるが、これに限定されるものではない。
【００３４】
再生対象の吸着剤とアルカリ性溶液との接触方法としては、上記のセレン含有水と吸着剤との接触の方法と同様な方法でよい。例えば、再生手段としての反応槽の中にアルカリ性溶液および再生対象の吸着剤を添加、導入し、撹拌装置の撹拌手段等を用いて撹拌した後、アルカリ性溶液と吸着剤を分離する方法でもよいし、例えば、再生手段としての再生対象の吸着剤を充填した充填塔にアルカリ性溶液を通水して再生する方法でもよい。再生対象の吸着剤を充填した充填塔に通水する場合には、上向流でも下向流でもよい。
【００３５】
このようにして吸着したイオン等を脱離させた吸着剤は吸着能力を回復させており、水洗浄後、再度、吸着剤としての利用が可能である。
【実施例】
【００３６】
以下、実施例および比較例を挙げ、本発明をより具体的に詳細に説明するが、本発明は、以下の実施例に限定されるものではない。
【００３７】
＜実施例１＞
［４価セレンの吸着］
一般式Ｚｒ・Ｆｅ２（ＯＨ）８で表されるジルコニウムフェライトを主成分とする吸着剤（オルライトＦ、オルガノ株式会社製）をカラムに充填し、下向流にて下記原水を通水した。原水は、１ｍｏｌ／Ｌの塩酸により下記ｐＨに調整した。原水１０Ｌを調整するのに必要とした塩酸量を記録した。また、処理水中に含まれるセレン濃度をＩＣＰ−ＭＳにて測定し、この濃度が０．１ｍｇ−Ｓｅ／Ｌに到達した時点での吸着剤量（Ｌ）に対するセレン吸着量（ｇ−Ｓｅ）を算出して記録し、通水ｐＨ毎のセレン吸着量を比較した。また、吸着剤量に対する通液量の倍率（Ｂｅｄ  Ｖｏｌｕｍｅ：ＢＶ）が３，０００となった時点での処理水のセレン濃度（全セレン）をＩＣＰ−ＭＳにて測定し、記録した。各条件は以下の通りである。結果を表１に示す。
【００３８】
原水Ｓｅ（ＩＶ）：１ｍｇ−Ｓｅ／Ｌ（亜セレン酸ナトリウムを地下水に溶解させて調整）
原水ｐＨ（通水ｐＨ）：２，３，４，５．５，６，７．９（１ｍｏｌ／Ｌ  ＨＣｌにてそれぞれ調整（ただし、ｐＨ７．９はｐＨ調整なし））
カラム直径１０ｍｍ
吸着剤充填量１５ｍＬ
ＳＶ３０（１／ｈ）
温度２０℃
【００３９】
【表１】
2014100637.tif 000002
【００４０】
ジルコニウムフェライトを主成分とする吸着剤を用いた４価セレンの処理では、反応ｐＨが５．５を上回ると吸着剤の吸着能力がやや低下し、反応ｐＨが６を上回ると吸着剤の吸着能力が極端に低下した。また、ＢＶ３，０００時点においてｐＨ５．５以下では処理水のセレン濃度が０．０１〜０．０２ｍｇ−Ｓｅ／Ｌと良好に処理できており、高い処理能力が得られた。ｐＨ５．５以下ではセレンの吸着量に大きな変化がないにもかかわらず、ｐＨ２ではｐＨ調整に要した塩酸の使用量が非常に多かった。
【００４１】
このように、一般式Ｚｒ・Ｆｅ２（ＯＨ）８で表されるジルコニウムフェライトを主成分とする吸着剤を用いることにより、ｐＨ６以下で４価セレンを効率的に吸着処理することできた。特に、ｐＨ３〜５．５の範囲で処理することにより、高い吸着能力が得られ、かつ無駄なｐＨ調整試薬の使用がなくなることは明らかである。
【００４２】
＜実施例２＞
［６価セレンの吸着］
実施例１で用いたものと同じ一般式Ｚｒ・Ｆｅ２（ＯＨ）８で表されるジルコニウムフェライトを主成分とする吸着剤（オルライトＦ、オルガノ株式会社製）をカラムに充填し、下向流にて下記原水を通水した。原水は、１ｍｏｌ／Ｌの塩酸により下記ｐＨに調整した。原水１０Ｌを調整するのに必要とした塩酸量を記録した。また、処理水中に含まれるセレン濃度が０．１ｍｇ−Ｓｅ／Ｌに到達した時点での吸着剤量（Ｌ）に対するセレン吸着量（ｇ−Ｓｅ）を実施例１と同様にして算出して記録し、通水ｐＨ毎のセレン吸着量を比較した。また、吸着剤量に対する通液量の倍率（ＢＶ）が３，０００となった時点での処理水のセレン濃度（全セレン）を実施例１と同様にして測定し、記録した。各条件は以下の通りである。結果を表２に示す。
【００４３】
原水Ｓｅ（ＶＩ）：１ｍｇ−Ｓｅ／Ｌ（セレン酸ナトリウムを地下水に溶解させて調整）
原水ｐＨ（通水ｐＨ）：２，３，４，５．５，６，７．６（１ｍｏｌ／Ｌ  ＨＣｌにてそれぞれ調整（ただし、ｐＨ７．６はｐＨ調整なし））
カラム直径１０ｍｍ
吸着剤充填量１５ｍＬ
ＳＶ３０（１／ｈ）
温度２０℃
【００４４】
【表２】
2014100637.tif 000003
【００４５】
ジルコニウムフェライトを主成分とする吸着剤を用いた６価セレンの処理では、反応ｐＨが５．５を上回ると吸着剤の吸着能力がやや低下し、反応ｐＨが６を上回ると吸着剤の吸着能力が極端に低下した。また、ＢＶ３，０００時点においてｐＨ５．５以下では処理水のセレン濃度が０．０１〜０．０２ｍｇ−Ｓｅ／Ｌと良好に処理できており、高い処理能力が得られた。ｐＨ５．５以下ではセレンの吸着量に大きな変化がないにもかかわらず、ｐＨ２ではｐＨ調整に要した塩酸の使用量が非常に多かった。
【００４６】
このように、一般式Ｚｒ・Ｆｅ２（ＯＨ）８で表されるジルコニウムフェライトを主成分とする吸着剤を用いることにより、ｐＨ６以下で６価セレンを効率的に吸着処理することできた。特に、ｐＨ３〜５．５の範囲で処理することにより、高い吸着能力が得られ、かつ無駄なｐＨ調整試薬の使用がなくなることは明らかである。
【００４７】
以上のように、一般式Ｚｒ・Ｆｅ２（ＯＨ）８で表されるジルコニウムフェライトを主成分とする吸着剤を用いることにより、ｐＨ６以下で４価セレンおよび６価セレンのうち少なくとも１つを効率的に吸着処理できることがわかった。このことから、ｐＨ６以下で４価セレンおよび６価セレンの両方を効率的に吸着処理できることは明らかである。特に、ｐＨ３〜５．５の範囲で処理することにより、４価セレンおよび６価セレンのうち少なくとも１つに対して高い吸着能力が得られ、かつ無駄なｐＨ調整試薬の使用がなくなることがわかった。このことから、ｐＨ３〜５．５の範囲で処理することにより、４価セレンおよび６価セレンの両方に対して高い吸着能力が得られ、かつ無駄なｐＨ調整試薬の使用がなくなることは明らかである。
【符号の説明】
【００４８】
１，３  セレン含有水処理装置、１０  反応槽、  １２  撹拌装置、１４  充填塔。
【図１】
2014100637.tif 000004
【図２】
2014100637.tif 000005